(57)【要約】  【課題】  複数種類の光記録媒体の判別を行うことができる光ディスク装置であって、複数種類の光記録媒体の判別を迅速に行うことが可能で、判別時に光記録媒体に記録されている情報を誤って消去する虞がない光ディスク装置を提供する。  【解決手段】複数の異なる光記録媒体にアクセス可能に設けられる光ディスク装置１において、光記録媒体の判別時には、複数の光ビームの焦点距離は、最短の焦点距離に設定される波長の光ビームを除き、各波長の光ビーム毎に、最短の焦点距離との差の絶対値が、各波長の光ビームがアクセス可能な光記録媒体の表面から記録層までの距離に一致するように設け、最短の焦点距離に設定される光ビームの焦点を、焦点制御手段により光記録媒体の表面に一致させる第１の工程と、焦点が合った後に、第１の工程で照射された光ビームと異なる光ビームを照射する第２の工程と、を有するように構成する。  【選択図】      図１
2006268996.tif 000002
【特許請求の範囲】
【請求項１】
それぞれ異なる光記録媒体にアクセス可能な波長の異なる複数の光ビームを照射する単
一又は複数の光源と、
該光源から照射された光ビームを前記光記録媒体上に集束する対物レンズと、
前記光記録媒体からの反射光を検出する光センサと、
前記光センサからの検出信号に基づいて、前記対物レンズを移動しながら焦点位置を制御
する焦点制御手段と、を備え、
前記波長の異なる複数の光ビームを用いて、複数の光記録媒体の種類を判別する光ディス
ク装置及び光ヘッド装置において、
前記複数の光ビームの焦点距離は、最短の波長を有する光ビームが最も短く設けられ、
複数の光記録媒体の判別時には、前記焦点距離は、最短の焦点距離に設定される波長の光
ビームを除き、各波長の光ビーム毎に、前記最短の焦点距離との差の絶対値が、各波長の
光ビームがアクセス可能な光記録媒体の表面から記録層までの距離に一致するように設け
られ、
前記最短の焦点距離に設定される光ビームの焦点を、前記焦点制御手段により前記光記録
媒体の表面に一致させる第１の工程と、
前記第１の工程で焦点が合った後も、前記第１の工程における光ビームの照射及び前記焦
点制御手段の駆動を維持した状態で、前記第１の工程で照射された光ビームと異なる光ビ
ームを照射する第２の工程と、を有し、
前記第２の工程で照射された光ビームの前記光記録媒体での反射光を前記光センサで検出
した時に得られるＲＦ信号の直流成分で、前記光記録媒体の判別を行う判別手段を備える
ことを特徴とする光ディスク装置及び光ヘッド装置。
【請求項２】
それぞれ異なる光記録媒体にアクセス可能な波長の異なる複数の光ビームを照射する単
一又は複数の光源と、
該光源から照射された光ビームを光記録媒体上に集束する集束手段と、
前記光記録媒体からの反射光を検出する光検出手段と、
前記光検出手段からの検出信号に基づいて、前記集束手段を移動しながら焦点位置を制御
する焦点制御手段と、を備え、
前記波長の異なる複数の光ビームを用いて、複数の光記録媒体の種類を判別する光ディス
ク装置及び光ヘッド装置において、
前記複数の光記録媒体の判別時には、複数の光ビームの焦点距離は、最短の焦点距離に設
定される波長の光ビームを除き、各波長の光ビーム毎に、前記最短の焦点距離との差の絶
対値が、各波長の光ビームがアクセス可能な光記録媒体の表面から記録層までの距離に一
致するように設けられ、
前記最短の焦点距離に設定される光ビームの焦点を、前記焦点制御手段により前記光記録
媒体の表面に一致させる第１の工程と、
前記第１の工程で焦点が合った後に、前記第１の工程で照射された光ビームと異なる光ビ
ームを照射する第２の工程と、を有し、
前記第２の工程で照射された光ビームの前記光記録媒体での反射光に基づいて、前記光記
録媒体の判別を行う判別手段を備えることを特徴とする光ディスク装置及び光ヘッド装置
。
【請求項３】
前記第２の工程において、前記第１の工程における光ビームの照射及び前記焦点制御手
段の駆動を維持した状態で、前記第１の工程で照射された光ビームと異なる光ビームを照
射することを特徴とする請求項２に記載の光ディスク装置及び光ヘッド装置。
【請求項４】
前記第２の工程において、前記第１の工程で焦点が合った後は、前記第１の工程におけ
る光ビームの照射及び前記焦点制御手段の駆動を停止すると共に、前記集束手段の位置を
固定し、前記第１の工程で照射された光ビームと異なる光ビームを切り換えて照射するこ
とを特徴とする請求項２に記載の光ディスク装置及び光ヘッド装置。
【請求項５】
前記複数の光ビームの焦点距離は、前記複数の光ビームのうち、波長が最短である光ビ
ームについて、最も短く設けられることを特徴とする請求項２乃至請求項４のいずれかに
記載の光ディスク装置及び光ヘッド装置。
【請求項６】
前記判別手段は、前記第２の工程で照射された光ビームの前記光記録媒体での反射光を
前記光検出手段で検出した時に得られるＲＦ信号の直流成分で、前記光記録媒体の判別を
行うことを特徴とする請求項２乃至請求項５のいずれかに記載の光ディスク装置及び光ヘ
ッド装置。
【発明の詳細な説明】
【技術分野】
【０００１】
本発明は、光ディスク装置及び光ヘッド装置に関し、より詳細には異なる複数種類の光
記録媒体に対して情報の再生、記録を行うことができる光ディスク装置及び光ヘッド装置
の光記録媒体の判別技術に関する。
【背景技術】
【０００２】
現在、ＣＤ（コンパクトディスク）、ＤＶＤ（デジタル多用途ディスク）、ＤＶＤの数
倍の容量を有する青紫レーザ用の光ディスク等、複数種類の光ディスクが実用化されてお
り、１つの光ピックアップで複数種類の光ディスクに対応して、情報の記録又は再生を行
うことができる光ディスク装置等が開発されている。
【０００３】
このような光ディスク装置等においては、複数種類の光ディスクの信号方式や規格が異
なっているために、まず、収容された光ディスクが、いずれの種類の光ディスクであるか
を判別する必要がある。そして、この判別不十分の状態で光ディスクへの情報の記録又は
情報の再生を行うと、光ディスク表面に記録された記録情報が誤って消去される虞がある
。このため、複数種類の光ディスクの判別技術については、従来からいくつかの報告がな
されている。
【０００４】
例えば、特許文献１は、複数種類の情報担体の情報を再生する、あるいは複数種類の情
報担体に情報を記録する装置について、次のように提案している。すなわち、所定の波長
の光源を発光し、それによって生成された光ビームを、装着された情報担体に集束照射し
て得られた結果が、発光した波長に対応する情報担体でない場合には、その光源を消灯後
、先の光ビームの波長より短い光源を発光するという方式で、装着された情報担体に合う
波長の光源を見つける装置について提案している。
【０００５】
また、特許文献２では、光ディスクの情報面に光ビームを集束する手段の開口数を、異
なる開口数のうちで最小の第１開口数に設定し、設定された第１開口数を用いて光ディス
クの種類を判別する技術が提案されている。
【０００６】
しかし、これらの方式の場合、光ディスクの記録情報を誤って消去する虞はほとんどな
いが、光源毎に集束レンズをアップダウンさせる構成のため、判別に時間を要し、制御が
複雑になる等の問題がある。
【０００７】
更に特許文献３においても、複数種類のディスクが搭載された判別方法が提案されてい
る。これによると、光ディスクに光ビームを照射した場合の反射率の違いや、焦点面の数
など、各光記録媒体の物理的構造を考慮の上、様々な状況を想定した制御プログラムを用
いて複数の光記録媒体を判別する方式をとっており、制御機構が複雑になるという問題が
ある。
【特許文献１】特開平１１−１７６０７３号公報
【特許文献２】特開２００４−３１１００４号公報
【特許文献３】特開平０９−２８２７８５号公報
【発明の開示】
【発明が解決しようとする課題】
【０００８】
上記問題点に鑑み、本発明の目的は、複数種類の光記録媒体の判別を行うことができる
光ディスク装置及び光ヘッド装置であって、複数種類の光記録媒体の判別を迅速に行うこ
とが可能で、判別時に光記録媒体に記録されている情報を誤って消去する虞がなく、その
制御構成が簡易な光ディスク装置及び光ヘッド装置を提供することである。
【課題を解決するための手段】
【０００９】
上記目的を達成するために本発明は、それぞれ異なる光記録媒体にアクセス可能な波長
の異なる複数の光ビームを照射する単一又は複数の光源と、該光源から照射された光ビー
ムを前記光記録媒体上に集束する対物レンズと、前記光記録媒体からの反射光を検出する
光センサと、前記光センサからの検出信号に基づいて、前記対物レンズを移動しながら焦
点位置を制御する焦点制御手段と、を備え、前記波長の異なる複数の光ビームを用いて、
複数の光記録媒体の種類を判別する光ディスク装置及び光ヘッド装置において、前記複数
の光ビームの焦点距離は、最短の波長を有する光ビームが最も短く設けられ、複数の光記
録媒体の判別時には、前記焦点距離は、最短の焦点距離に設定される波長の光ビームを除
き、各波長の光ビーム毎に、前記最短の焦点距離との差の絶対値が、各波長の光ビームが
アクセス可能な光記録媒体の表面から記録層までの距離に一致するように設けられ、前記
最短の焦点距離に設定される光ビームの焦点を、前記焦点制御手段により前記光記録媒体
の表面に一致させる第１の工程と、前記第１の工程で焦点が合った後も、前記第１の工程
における光ビームの照射及び前記焦点制御手段の駆動を維持した状態で、前記第１の工程
で照射された光ビームと異なる光ビームを照射する第２の工程と、を有し、前記第２の工
程で照射された光ビームの前記光記録媒体での反射光を前記光センサで検出した時に得ら
れるＲＦ信号の直流成分で、前記光記録媒体の判別を行う判別手段を備えることを特徴と
している。
【００１０】
また、上記目的を達成するために本発明は、それぞれ異なる光記録媒体にアクセス可能
な波長の異なる複数の光ビームを照射する単一又は複数の光源と、該光源から照射された
光ビームを光記録媒体上に集束する集束手段と、前記光記録媒体からの反射光を検出する
光検出手段と、前記光検出手段からの検出信号に基づいて、前記集束手段を移動しながら
焦点位置を制御する焦点制御手段と、を備え、前記波長の異なる複数の光ビームを用いて
、複数の光記録媒体の種類を判別する光ディスク装置及び光ヘッド装置において、前記複
数の光記録媒体の判別時には、複数の光ビームの焦点距離は、最短の焦点距離に設定され
る波長の光ビームを除き、各波長の光ビーム毎に、前記最短の焦点距離との差の絶対値が
、各波長の光ビームがアクセス可能な光記録媒体の表面から記録層までの距離に一致する
ように設けられ、前記最短の焦点距離に設定される光ビームの焦点を、前記焦点制御手段
により前記光記録媒体の表面に一致させる第１の工程と、前記第１の工程で焦点が合った
後に、前記第１の工程で照射された光ビームと異なる光ビームを照射する第２の工程と、
を有し、前記第２の工程で照射された光ビームの前記光記録媒体での反射光に基づいて、
前記光記録媒体の判別を行う判別手段を備えることを特徴としている。
【００１１】
また、本発明は、上記構成の光ディスク装置及び光ヘッド装置において、前記第２の工
程において、前記第１の工程における光ビームの照射及び前記焦点制御手段の駆動を維持
した状態で、前記第１の工程で照射された光ビームと異なる光ビームを照射することを特
徴としている。
【００１２】
また、本発明は、上記構成の光ディスク装置及び光ヘッド装置において、前記第２の工
程において、前記第１の工程で焦点が合った後は、前記第１の工程における光ビームの照
射及び前記焦点制御手段の駆動を停止すると共に、前記集束手段の位置を固定し、前記第
１の工程で照射された光ビームと異なる光ビームを切り換えて照射することを特徴として
いる。
【００１３】
また、本発明は、上記構成の光ディスク装置及び光ヘッド装置において、前記複数の光
ビームの焦点距離は、前記複数の光ビームのうち、波長が最短である光ビームについて、
最も短く設けられることを特徴としている。
【００１４】
また、本発明は、上記構成の光ディスク装置及び光ヘッド装置において、前記判別手段
は、前記第２の工程で照射された光ビームの前記光記録媒体での反射光を前記光検出手段
で検出した時に得られるＲＦ信号の直流成分で、前記光記録媒体の判別を行うことを特徴
としている。
【発明の効果】
【００１５】
本発明の第１の構成によれば、複数種類の光記録媒体の判別を行うことができる光ディ
スク装置及び光ヘッド装置において、各光記録媒体の記録層に、各光記録媒体用の波長と
異なる光ビームを照射することが無いので、誤って記録層に記録されている情報を消去す
る虞がない。また、対物レンズを移動させながら焦点位置を決定する動作は、光記録媒体
の表面に最短焦点距離の光ビームをフォーカスする時のみで、その他は、光ビームの切り
換えで、複数の光記録媒体を判別できるので、迅速な判別が可能となる。更に、判別に際
しては、光記録媒体に照射された光ビームの反射光の光量のみで判別するので装置全体の
構成も容易となる。
【００１６】
また、本発明の第２の構成によれば、複数種類の光記録媒体の判別を行うことができる
光ディスク装置及び光ヘッド装置において、各光記録媒体の記録層に、各光記録媒体用の
波長と異なる光ビームを照射することが無いので、誤って記録層に記録されている情報を
消去する虞がない。また、集束手段を移動させながら焦点位置を決定する動作は、光記録
媒体の表面に最短焦点距離の光ビームをフォーカスする時のみで、その他は、光ビームの
切り換えで、複数の光記録媒体を判別できるので、迅速な判別が可能となる。
【００１７】
また、本発明の第３の構成によれば、上記第２の構成の光ディスク装置及び光ヘッド装
置において、光記録媒体の判別を行うための光ビームを照射する際にも、光記録媒体表面
を、最短の焦点距離を有する光ビームを用いてフォーカスしている。このため、光記録媒
体の判別を行うための光ビームが光記録媒体の記録層に照射される場合に、記録層が存在
する場所に光ビームが正確に照射され、照射ビームがずれて誤った判別を起こすことはほ
ぼない。
【００１８】
また、本発明の第４の構成によれば、上記第２の構成の光ディスク装置及び光ヘッド装
置において、最短焦点距離の光ビームを用いて、光記録媒体表のフォーカスを行った後は
、焦点制御手段を駆動しない構成のため、制御機構が簡易となる。また、このように焦点
制御手段の駆動を停止した場合でも、一度、光記録媒体の表面でフォーカスを行っている
ので、光記録媒体の判別を行うための光ビームを照射した際に、光ビームの焦点距離がず
れる可能性は非常に低く、照射ビームのずれが起こる可能性はほとんどない。
【００１９】
また、本発明の第５の構成によれば、上記第２乃至上記第４のいずれかの構成の光ディ
スク装置及び光ヘッド装置において、波長の短い光ビーム程、焦点距離を短く設定してい
るため、光ディスク装置及び光ヘッド装置の光学設計を簡易にできる。
【００２０】
また、本発明の第６の構成によれば、上記第２乃至上記第５のいずれかの構成の光ディ
スク装置及び光ヘッド装置において、判別を行う際に得られる、光記録媒体からの反射光
の光量を、光記録媒体に記録されている情報の再生等を行う際に用いる光検出手段を用い
て検出するので、光ディスク装置及び光ヘッド装置の装置構成を簡易にできる。
【発明を実施するための最良の形態】
【００２１】
以下に本発明の実施形態を、図面を参照しながら説明する。図１は、本発明に係る光デ
ィスク装置１の要部のブロック図である。なお、本発明は、光ディスク装置に限らず、光
ヘッド装置にも適用されるが、同様の構成のために、光ディスク装置を用いて説明する。
また、ここで説明する構成は、実施形態の一例を示すものであり、この実施形態に限定さ
れるものではない。
【００２２】
図１において、２は光記録媒体であり、ＣＤ、ＤＶＤ、ＤＶＤの数倍の容量を有する青
紫レーザ用の光ディスク（以下、高密度光ディスクという。）等が対応する。３は光記録
媒体２を回転駆動させるスピンドルモータ、４は光記録媒体２に記録された情報の再生及
び情報の記録を行う光ピックアップである。なお、光ピックアップ４の詳細については後
述する。また、５はスピンドルモータ３と、光ピックアップ４を駆動させるドライバであ
る。
【００２３】
６は光ピックアップ４から電気信号を受け取り、再生データであるＲＦ信号や焦点制御
のためのフォーカスエラー信号等を生成するＲＦアンプである。３０は、光記録媒体判別
制御部であり、光記録媒体判別部７、焦点制御部８及びＣＰＵ９で構成される。
【００２４】
光記録媒体判別部７はＲＦアンプ６からの信号を受け取り、光記録媒体２が、ＣＤ、Ｄ
ＶＤ、高密度光ディスク等のいずれの光記録媒体であるかを判別する。焦点制御部８はＲ
Ｆアンプ６からの信号を受け取り、光ピックアップ４から照射される光ビームの焦点位置
を、アクチュエータ（図示せず）を用いて制御する。ＣＰＵ９は光記録媒体判別部７と焦
点制御部８からの信号を受け取り、ＲＦアンプ６及びドライバ５の制御を行う。
【００２５】
次に、本実施形態に係る光ピックアップ４について説明する。本実施形態の光ピックア
ップ４は、例えば、図２のように構成される。
【００２６】
図２に示す光ピックアップ４は、２波長１パッケージの第１の半導体レーザ１０と、第
１の半導体レーザと異なる波長を有する第２の半導体レーザ１１と、第１及び第２の回折
格子１３、１４と、第１、第２及び第３のコリメートレンズ１５、１６、２２と、ミラー
１７と、スプリットミラー１８と、１/４波長板１９と、ビームエキスパンダ２０と、対
物レンズ２１と、シリンドリカルレンズ２３と、光検出器（ＰＤＩＣ：フォトディテクタ
集積回路）２４と、集光レンズ２５とフロントモニタ用受光素子２６とを備えている。
【００２７】
第１回折格子１３、第１及び第３のコリメートレンズ１５及び２２、スプリットミラー
１８、１/４波長板１９、ビームエキスパンダ２０、ビームエキスパンダ２０の先に設け
られる立ち上げミラー（図示せず）、対物レンズ２１及びシリンドリカルレンズ２３の組
み合わせは、第１の半導体レーザ１０から出射からされたレーザ光を光記録媒体２（図１
参照）へ導くと共に、光記録媒体２で反射された戻り光を光検出器２４へ導く第１の光学
系として働く。
【００２８】
第２回折格子１４、第２及び第３のコリメートレンズ１６及び２２、ミラー１７、スプ
リットミラー１８、１/４波長板１９、ビームエキスパンダ２０、ビームエキスパンダ２
０の先に設けられる立ち上げミラー（図示せず）、対物レンズ２１及びシリンドリカルレ
ンズ２３の組み合わせは、第２の半導体レーザ１１から出射からされたレーザ光を光記録
媒体２（図１参照）へ導くと共に、光記録媒体２で反射された戻り光を光検出器２４へ導
く第２の光学系として働く。
【００２９】
次に、各光学要素の作用について説明する。第１の半導体レーザ１０は、波長６５０ｎ
ｍと７８０ｎｍのレーザ光を出射する。第２の半導体レーザ１１は、４０５ｎｍのレーザ
光を出射する。
【００３０】
第１及び第２の回折格子１３、１４は、それぞれ、第１の半導体レーザ１０又は第２の
半導体レーザ１１から出射されたレーザ光を３ビームに分割する。
【００３１】
第１及び第２のコリメートレンズ１５及び１６は、それぞれ、第１又は第２の回折格子
１３、１４から入射してきたレーザ光を平行光にする。また、第３のコリメートレンズ２
２は、光記録媒体２で反射された戻り光を平行光にする。
【００３２】
ミラー１７は、第１の半導体レーザ１０から出射されたレーザ光と第２の半導体レーザ
１１から出射されたレーザ光とを同一線上に重ね、第１の半導体レーザ１０から出射され
たレーザ光は透過し、第２の半導体レーザ１１から出射されたレーザ光は反射される。
【００３３】
スプリットミラー１８は、光記録媒体２に向かって進行するレーザ光と光記録媒体２で
反射された戻り光を分離する。また、第１の半導体レーザ１０から出射され、ミラー１７
を透過してきたレーザ光及び第２の半導体レーザ１１から出射され、ミラー１７で反射さ
れてきたレーザ光を、光記録媒体２に向かって進行するレーザ光とフロントモニタ用受光
素子２６に向かって進行するレーザ光に分離する。
【００３４】
１／４波長板１９は、スプリットミラー１８と協働して光アイソレータとして機能する
。ビームエキスパンダ２０は、レーザ光を拡大縮小する機能を有する。対物レンズ２１は
、立ち上げミラー（図示せず）からのレーザ光を集光して光記録媒体２に照射する。
【００３５】
シリンドリカルレンズ２３は、光記録媒体２からの戻り光に非点収差を与えて、光検出
器２４へ戻り光を導く。光検出器２４は、光記録媒体２からの戻り光を電気信号に変換す
る。集光レンズ２５は、半導体レーザ１０及び１１から照射され、スプリットミラー１８
で分離された光ビームをフロントモニタ用受光素子２６に集光する。フロントモニタ用受
光素子２６は、半導体レーザ１０及び１１から照射された光ビームの光量の制御を行うた
めに、入射した光ビームを電気信号に変換する。
【００３６】
光ピックアップ４は、以上のように構成されるが、本実施形態では、第１の半導体レー
ザ１０及び第２の半導体レーザ１１から出射される、波長７８０ｎｍ、６５０ｎｍ及び４
０５ｎｍの３種類のレーザ光の焦点距離をそれぞれ異なるように設計している。各レーザ
光の焦点距離を異なる設計としては、例えば、対物レンズ２１を図３に示すような構成と
することができる。なお、図３（ａ）は、対物レンズ２１の側断面図で、図３（ｂ）は対
物レンズ２１を上からみた図である。
【００３７】
対物レンズ２１には、図３に示すように、回折格子が光軸を中心として同心円状に設け
られている。ここで、波長７８０ｎｍのレーザはＣＤ用に用いられ、波長６５０ｎｍ及び
波長４０５ｎｍのレーザはそれぞれＤＶＤ用、高密度光ディスク用に用いられる。そして
、ＣＤ、ＤＶＤ、高密度光ディスクの順に高い開口数（ＮＡ）とするため、図４に示すよ
うに、波長７８０ｎｍのレーザ光１０１、６５０ｎｍのレーザ光１０２、４０５ｎｍのレ
ーザ光１０３の順に、有効径が異なるように設計されている。このため、対物レンズを通
過する領域が、各波長のレーザ光によって異なり、各波長のレーザ光の焦点距離を異なる
ように設計することが可能となる。
【００３８】
本実施形態では、例えば、図４のようにＣＤ用のレーザ光１０１、ＤＶＤ用のレーザ光
１０２、高密度光ディスク用のレーザ光１０３の順に対応するレーザ光の焦点距離が短く
なるように設計している。そして、最短の焦点距離を有する高密度光ディスク用のレーザ
光１０３と、他のレーザ光との焦点距離の差が、ＣＤ用のレーザ光１０１で１．２ｍｍ、
ＤＶＤ用のレーザ光１０２で０．６ｍｍに設定されている。この焦点距離の差は、それぞ
れ、ＣＤ用の光ディスクとＤＶＤ用の光ディスクの、光ディスク表面から情報の記録層ま
での距離に一致する。
【００３９】
なお、本実施形態では、異なる波長毎に焦点距離を異ならせる設計として、対物レンズ
２１に回折格子を設ける形態としたが、本発明の目的を逸脱しない範囲で設計の変更が可
能である。例えば、各波長のレーザ光を本実施形態のように平行光とせず、発散光とする
ことで波長毎の焦点距離に差を設けてもよいし、また、対物レンズ２１を異なる波長毎に
切り替える設計としてもよい。
【００４０】
以上のように構成された光ディスク装置１において、光ディスク装置１に光記録媒体２
が挿入された場合に、光記録媒体２の種類を判別する方法について説明する。ここでは、
一例として、ＣＤ、ＤＶＤ、高密度光ディスクの３種類の光記録媒体２の判別について説
明する。なお、本発明はこの３種の媒体の判別に限られず、他の光記録媒体にも応用可能
であり、２種類以上であれば、４種類等の光記録媒体の判別にも応用できる。
【００４１】
まず、複数の光記録媒体の判別方法の第１の実施形態について、図７を用いて説明する
。光記録媒体２が光ディスク装置１に挿入される（ステップＳ１）と、最短の焦点距離を
有する波長のレーザ光、例えば、高密度光ディスク用の４０５ｎｍの波長を有するレーザ
光１０３が半導体レーザ１１（図２参照）から出射される。このとき、出射されたレーザ
光１０３の焦点は、光記録媒体２の表面１０４ａ（図５参照）に合うように、図６に示す
アクチュエータ１０５を用いて対物レンズ２１を移動することにより、焦点制御部８（図
１参照）で制御される（ステップＳ２）。
【００４２】
高密度光ディスク用のレーザ光１０３の出射と焦点制御部８による制御を維持した状態
で、第２のレーザ光、例えば、ＤＶＤ用の６５０ｎｍの波長を有するレーザ光１０２が半
導体レーザ１０（図２参照）から出射される（ステップＳ３）。この後、第２のレーザ光
１０２の光記録媒体２からの反射光の光量を光検出器２４で検出し、光検出器２４で変換
された電気信号に基づき、光記録媒体判別部７（図１参照）で光記録媒体２の判別が行わ
れる（ステップＳ４）。
【００４３】
この時、例えば、光ディスク装置１に挿入された光記録媒体２が、ＤＶＤ用の光ディス
クである場合には、図５（ａ）に示すように第２のレーザ光１０２が、光記録媒体２の記
録層１０４ｂで反射されるため、反射光の光量が予め光記録媒体判別部７に設定された所
定の値に達し、適正な電気信号であると判断される。これにより、光ディスク装置１に挿
入された光記録媒体２はＤＶＤと判別される。
【００４４】
一方、光ディスク装置１に挿入された光記録媒体２が、ＤＶＤ用の光ディスクでない場
合には、第２のレーザ光は光記録媒体２の記録層１０４ｂで反射されないので、反射光の
光量はほとんど検出されない。このため、光記録媒体判別部７において、適正な電気信号
でないと判断される。このため、第３のレーザ光、例えば、ＣＤ用のレーザ光１０１が出
射される（ステップＳ５）。この後、第３のレーザ光１０１の光記録媒体２からの反射光
の光量を光検出器２４で検出し、光検出器２４で変換された電気信号に基づき、光記録媒
体判別部７（図１参照）で光記録媒体２の判別が行われる（ステップＳ６）。
【００４５】
この時、例えば、光ディスク装置１に挿入された光記録媒体２が、ＣＤ用の光ディスク
である場合には、図５（ｂ）に示すように第３のレーザ光１０１が、光記録媒体２の記録
層１０４ｂで反射されるため、反射光の光量が予め光記録媒体判別部７に設定された所定
の値に達し、適正な電気信号であると判断される。これにより、光ディスク装置１に挿入
された光記録媒体２はＣＤと判別される。
【００４６】
一方、光ディスク装置１に挿入された光記録媒体２が、ＣＤ用の光ディスクでない場合
には、第２のレーザ光は光記録媒体２の記録層１０４ｂで反射されないので、反射光の光
量はほとんど検出されない。このため、光記録媒体判別部７において、適正な電気信号で
ないと判断される。以上により、光ディスク装置１に挿入された光記録媒体２は、ＤＶＤ
でもＣＤでもないために、高密度光記録媒体であると判断される。これにより、光ディス
ク装置１に挿入された光記録媒体２の判別が完了する（ステップＳ９）。
【００４７】
なお、光記録媒体２の種類の判別は、光記録媒体２が光ディスク装置１に挿入された時
点で行うだけでなく、光ディスク装置の電源が投入された時点でも行うようにしてもよい
。更に、光記録媒体２の種類の判別時においては、光記録媒体２はスピンドルモータ３（
図１参照）によって回転された状態でもよいし、停止した状態でも構わない。更に、本実
施形態では、最短焦点距離のレーザ光として高密度光記録媒体用のレーザ光１０３を用い
たが、本発明の目的を逸脱しない範囲であれば、他のレーザ光１０１又は１０２を最短焦
点距離に設定する構成に変更しても構わない。
【００４８】
上述の光記録媒体判別部７が、判別の際に用いる電気信号は光記録媒体２から反射され
る反射光の光量の強さを表す、ＲＦ信号の直流成分が用いられる。各波長のレーザ光が、
各記録媒体２の記録層１０４ｂから反射される反射光の光量は、各記録媒体２で決まるの
で、光記録媒体判別部７に各記録媒体２に対応する値を入力して置き、この値とＲＦ信号
のＤＣ成分を比較することで、光記録媒体２の判別が可能となる。
【００４９】
なお、光記録媒体２の表面から記録層までの距離は、光記録媒体２の場所によって、多
少の誤差を持つ場合があるため、上記反射光の光量を、一定の値と対応するかどうかで判
断する構成とすると、判別時に光記録媒体２の種別を誤る可能性がある。このため、一定
の閾値を設けて、閾値より値が大きいか否かで、判別する構成とするのが好ましい。
【００５０】
また、光記録媒体２の記録層に情報が記録されているものを光ディスク装置１に挿入す
るような場合には、電気信号としてＲＦ信号を用いることも可能であるが、光記録媒体２
の記録層に情報が記録されていない場合には、ＲＦ信号では判別できないので、ＲＦ信号
の直流成分を用いるのが好ましい。
【００５１】
更に、本実施形態では、光記録媒体２に記録されている情報の再生および情報の記録を
行う際に用いる光検出器２４（図２参照）及びＲＦアンプ６（図１参照）を、光記録媒体
２の種類を判別する際に得られる反射光の光量の測定に用いる形態としたが、別途、光検
出器等を設ける形態としても構わない。
【００５２】
次に、複数の光記録媒体の判別方法の第２の実施形態について、図８を用いて説明する
。なお、第２の実施形態は、一部を除き第１の実施形態と同じであるため、異なる部分に
ついて説明する。
【００５３】
光記録媒体２が光ディスク装置１に挿入される（ステップＳ１）と、最短の焦点距離を
有する波長のレーザ光、例えば、高密度光ディスク用の４０５ｎｍの波長を有するレーザ
光１０３が半導体レーザ１１（図２参照）から出射される。このとき、出射されたレーザ
光１０３の焦点は、光記録媒体２の表面１０４ａ（図５参照）に合うように、図６に示す
アクチュエータ１０５を用いて対物レンズ２１を移動することにより、焦点制御部８（図
１参照）で制御される（ステップＳ２）。
【００５４】
レーザ光１０３の焦点が光記録媒体２の表面１０４ａに合うと、レーザ光１０３の照射
は停止され、更に、焦点制御部８によるアクチュエータ１０５の駆動を停止し、対物レン
ズ２１の位置を固定する（ステップＳ３）。この後、第２のレーザ光、例えば、ＤＶＤ用
の６５０ｎｍの波長を有するレーザ光１０２が、半導体レーザ１０（図２参照）から出射
される（ステップＳ４）。第２のレーザ光１０２の光記録媒体２からの反射光の光量を光
検出器２４で検出し、光検出器２４で変換された電気信号に基づき、光記録媒体判別部７
（図１参照）で光記録媒体２の判別が行われる（ステップＳ５）。以下、光記録媒体２の
判別は、第１の実施形態と同様に行われる。
【００５５】
なお、第２の実施形態は、最短焦点距離を有するレーザ光の照射及び焦点制御部８によ
るアクチュエータ１０５の駆動を停止する点でのみ、第１の実施形態と異なるので、第１
の実施形態で説明した内容が、第２の実施形態でも適用できるのは言うまでもない。
【産業上の利用可能性】
【００５６】
本発明によれば、異なる複数の光記録媒体にアクセス可能に設けられる光ディスク装置
及び光ヘッド装置において、複数の光記録媒体の判別時には、複数の光ビームの焦点距離
は、最短の焦点距離に設定される波長の光ビームを除き、各波長の光ビーム毎に、最短の
焦点距離との差の絶対値が、各波長の光ビームがアクセス可能な光記録媒体の表面から記
録層までの距離に一致するように設けられ、最短の焦点距離に設定される光ビームの焦点
を、焦点制御手段により光記録媒体の表面に一致させる第１の工程と、焦点が合った後に
、第１の工程で照射された光ビームと異なる光ビームを照射する第２の工程と、を有し、
第２の工程で照射された光ビームの光記録媒体での反射光に基づいて、光記録媒体の判別
を行うことができる構成ため、誤って光記録媒体の情報の記録層に高出力の光ビームを照
射することがなく、光記録媒体に記録されている情報を消去する虞がない。
【００５７】
また、集束手段を移動させながら焦点位置を決定する動作は、光記録媒体の表面に最短
焦点距離の光ビームをフォーカスする時のみで、その他は、光ビームの切り換えで、複数
の光記録媒体を判別できるので、迅速な判別が可能となる。
【００５８】
更に、最短焦点距離の光ビームを用いて、光記録媒体表面のフォーカスを行った後に、
光ビームを切り換えるだけで、光記録媒体の判別を行うための光ビームが光記録媒体の記
録層に照射される構成のために、記録層が存在する場所に光ビームが正確に照射され、照
射ビームがずれて誤った判別を起こすことがないので、より迅速な判別が担保される。
【図面の簡単な説明】
【００５９】
【図１】は、本実施形態の光ディスク装置の要部のブロック図である。
【図２】は、本実施形態の光ピックアップの構成を示す概略図である。
【図３】は、本実施形態の対物レンズの説明図である。
【図４】は、本実施形態の複数の異なる波長を有するレーザ光の焦点距離の関係を示す説明図である。
【図５】は、第１実施形態における複数の光記録媒体の種類を判別する方法の説明図である。
【図６】は、第１実施形態の対物レンズの移動手段を示す概略図である。
【図７】は、第１実施形態における複数の光記録媒体の種類を判別する手順を示すフローチャートである。
【図８】は、第２実施形態における複数の光記録媒体の種類を判別する手順を示すフローチャートである。
【符号の説明】
【００６０】
１                      光ディスク装置
２                      光記録媒体
４                      光ピックアップ
６                      ＲＦアンプ
７                      光記録媒体判別部
８                      焦点制御部
１０                    ２波長１パッケージの第１の半導体レーザ
１１                    第２の半導体レーザ
２１                    対物レンズ
２４                    光検出器
３０                    光記録媒体判別制御部
１０４ａ                光記録媒体の表面
１０４ｂ                光記録媒体の記録層
１０５                  アクチュエータ
【図１】
2006268996.tif 000003
【図２】
2006268996.tif 000004
【図３】
2006268996.tif 000005
【図４】
2006268996.tif 000006
【図５】
2006268996.tif 000007
【図６】
2006268996.tif 000008
【図７】
2006268996.tif 000009
【図８】
2006268996.tif 000010